(57)【要約】【課題】皮膚への刺入が容易であり、刺入時における痛みを確実に軽減する。【解決手段】注射針１は、針管２の先端における一直径方向の一側方Ｄ１から針管２の基端側２ｃにおける前記一直径方向の他側方Ｄ２に向けて針管２の軸線Ｓに対して傾斜した第一、第二の傾斜面３ａ，３ｃを有する刃面３を備え、針先４の先端側における第二の傾斜面３ｃの裏側には、該第二の傾斜面３ｃの先端側の両外周縁に、横断面視で第二の傾斜面３ｃに対して鋭角に交差し、平面視で針先４の先端２ｂで鋭角に交差する一対の直線状の切刃３ｄを形成する一対の切欠面５が、一直径方向において針管２の軸線Ｓを含む平面である中心面の両側に位置して設けられた構成とされている。【選択図】図１
2008154843.tif 000002
【特許請求の範囲】
【請求項１】
針管の先端における一直径方向の一側部から針管の基端側における前記一直径方向の他側部に向けて前記針管の軸線に対して傾斜させて刃面を形成した針先を備え、前記刃面が、前記針先における基端側の第一の傾斜面と、前記一直径方向において針管の軸線を含む平面である中心面の両側に位置して前記第一の傾斜面から針先の先端に接続され、前記針管の軸線に対する傾斜が第一の傾斜面より大きくされた一対の第二の傾斜面とを有し、該各第二の傾斜面は、前記針管の外周面側が内周面側よりも前記一直径方向の一側部に寄った位置となるように前記中心面に対して傾斜されている注射針であって、
前記針先の先端側における各第二の傾斜面の裏側には、該各第二の傾斜面の先端側の外周縁に、横断面視で前記各第二の傾斜面に対して鋭角に交差し、平面視で針先の先端で鋭角に交差する一対の直線状の切刃を形成する一対の切欠面が、前記中心面の両側に位置して設けられていることを特徴とする注射針。
【請求項２】
前記刃面の裏側には、前記中心面に沿って前記一対の切欠面を隔てる円弧状のランドが針管の外周の一部として設けられていることを特徴とする請求項１に記載の注射針。
【発明の詳細な説明】
【技術分野】
【０００１】
本発明は、注射器のルアー先に装着されて使用される医療用の注射針に関するものである。
【背景技術】
【０００２】
従来、この種の注射針は、一般に、針先が針管の先端における一直径方向の一側部から針管の基端側における前記一直径方向の他側部に向けて針管の軸線に対して傾斜した刃面を備えている。そして、注射針の刺入時における痛みを軽減する等の目的のために、前記刃面が針管の基端側に針管の軸線に対して所定角度をなしかつ前記一直径方向の平面に直交するように形成した第一の傾斜面と、この第一の傾斜面と針管の先端を接続すると共に、針管の軸線に対する傾斜角度を前記第一の傾斜面の傾斜角度よりも大きくし、前記一直径方向の平面の両側に該平面に対して傾斜させて形成した第二、第三の傾斜面とを備えて、針先の先端を前記一直線方向の平面からずらされた位置に設定することにより、注射針の刺入時に、針先により皮膚にかかる力が分散されるようにした注射針が知られている（例えば、特許文献１）。また、前記第一の傾斜面と第二、第三の傾斜面との間に、針管の軸線に対する傾斜角度が前記第一の傾斜面の傾斜角度よりも大きく、前記第二、第三の傾斜面の傾斜角度よりも小さくした第４の傾斜面を設けることにより、前記刃面における各傾斜面間の角度差を小さくして、皮膚に対する刺入時の抵抗を低減するようにした注射針も知られている（例えば、特許文献２参照）。
【特許文献１】特開２００３−２９０３５４号公報
【特許文献２】特開２０００−２６２６１５号公報
【発明の開示】
【発明が解決しようとする課題】
【０００３】
しかし、前記従来の注射針は、いずれも、針先の先細の先端側部に、その横断面視で前記刃面の第二、第三の傾斜面と刃面の背面側である針管の外周円弧面との交差部によって切刃が形成された形状になっているが、その切刃は刃面の背面側が円弧状であるために十分に先鋭化されていないので、注射時に注射針を皮膚に刺し込んだ際に、皮膚が凹んでから皮膚の抵抗が限界になった後に皮膚に刺入されることとなり、その際に注射針の刺入痛を生じさせる難点がある。
【０００４】
本発明は、上記事情に鑑みてなされたものであって、皮膚への刺入が容易であり、刺入時における痛みを確実に軽減することができる注射針を提供することを目的とする。
【課題を解決するための手段】
【０００５】
本発明は、前記課題を解決するために、以下の点を特徴としている。
すなわち、本発明の請求項１に係る注射針は、針管の先端における一直径方向の一側部から針管の基端側における前記一直径方向の他側部に向けて前記針管の軸線に対して傾斜させて刃面を形成した針先を備え、前記刃面が、前記針先における基端側の第一の傾斜面と、前記一直径方向において針管の軸線を含む平面である中心面の両側に位置して前記第一の傾斜面から針先の先端に接続され、前記針管の軸線に対する傾斜が第一の傾斜面より大きくされた一対の第二の傾斜面とを有し、該各第二の傾斜面は、前記針管の外周面側が内周面側よりも前記一直径方向の一側部に寄った位置となるように前記中心面に対して傾斜されている注射針であって、前記針先の先端側における各第二の傾斜面の裏側には、該各第二の傾斜面の先端側の外周縁に、横断面視で前記各第二の傾斜面に対して鋭角に交差し、平面視で針先の先端で鋭角に交差する一対の直線状の切刃を形成する一対の切欠面が、前記中心面の両側に位置して設けられていることを特徴としている。
【０００６】
また、請求項２に係る注射針は、請求項１に記載の注射針において、前記刃面の裏側には、前記針先の中心面に沿って前記一対の切欠面を隔てる円弧状のランドが針管の外周の一部として設けられていることを特徴としている。
【発明の効果】
【０００７】
本発明によれば、以下の優れた効果を奏する。
すなわち、請求項１に係る注射針によれば、針先の先端部に、刃面における一対の第二の傾斜面の裏面側に設けた一対の切欠面によって、各第二の傾斜面の外周縁に横断面視で尖鋭化された切刃を有する横断面菱形状の刃先が形状されるので、注射針を皮膚に刺入する際には、前記切刃の先端によって皮膚を削ぎ、削がれた皮膚を刃面の左右方向および表裏方向に均等に切り開いて針先を皮下へ挿入することができ、これにより、針先を刺し込み抵抗を小さくして皮膚へ容易に刺入することができると共に、皮膚に対する刺し込み痛を除去して、刺入時における痛みを確実に軽減することができる。
【０００８】
また、請求項２に係る注射針によれば、針先の先端部の強度をランドによって向上させることができると共に、針先の研削加工時に、一対の切欠面どうしの交差部を針先の中心面で正確に一致させる必要がなく、切欠面の加工が容易となる。
【発明を実施するための最良の形態】
【０００９】
以下、本発明の一実施の形態に係る注射針について図面を参照して説明する。
図１〜図６は本発明の一実施の形態に係る注射針１を示す。この注射針１は、ステンレス鋼ないしはニッケルクロム鋼等の材料からなり、例えば外径が０．８ｍｍ、内径が０．４９ｍｍの針管２を備えている。該針管２の先端側２ａには、針管２の先端２ｂにおける一直径方向Ｄ（図３参照）の一側部Ｄ１から針管２の基端部側２ｃにおける前記一直径方向Ｄの他側部Ｄ２に向けて針管２の軸線Ｓに対して傾斜した刃面３を有する針先４が設けられている。
【００１０】
前記刃面３は、前記一直径方向Ｄにおいて針管２の軸線Ｓを含む平面（針先４の中心面）Ｄｏに直交し、先端側が前記直径方向Ｄの一側部Ｄ１における針管２の内周面２ｄの位置を通り、前記針管２の軸線Ｓに対して傾斜角度θ１で傾斜された１つの第一の傾斜面３ａと、前記針先４の中心面Ｄｏ内に針管２（針先４）の先端２ｂを通り、針管２の軸線Ｓに対して傾斜角度θ２で傾斜された稜線３ｂを形成する、前記中心面Ｄｏの両側に配置された一対の第二の傾斜面３ｃ，３ｃとを有している。
【００１１】
前記第二の傾斜面３ｃ，３ｃは、前記針先４の先端２ｂと針先４の長さ方向の中間部における前記第一の傾斜面３ａとを接続し、図６に示すように、前記針管２の外周側が内周側よりも前記一直径方向Ｄの一側部Ｄ１に寄った位置となるように前記針先４の中心面Ｄｏに直交する面に対して傾斜角度δで傾斜されている。そして、前記第一の傾斜面３ａの傾斜角度θ１は、１５°〜２０°に設定され、前記稜線３ｂの傾斜角度θ２は、傾斜角度θ１より大きく、１８°〜２２°に設定され、また、第二の傾斜面３ｃ，３ｃの傾斜角度δは、１８°〜２１°に設定されている。前記各傾斜角度θ１，θ２，δは、針管２の内外径の大きさに応じて前記範囲の中から適切な数値が選択される。
【００１２】
また、前記針先４の先端側における刃面３（第二の傾斜面３ｃ，３ｃ）の裏側には、該第二の傾斜面３ｃ，３ｃの先端側の各外周縁に、図６（ａ）（ｂ）に示すように、横断面視で前記第二の傾斜面３ｃ，３ｃに対して鋭角に交差し、平面視で針先４の先端２ｂで鋭角に交差する一対の直線状の切刃３ｄ，３ｄを形成する一対の切欠面５，５が、前記一直径方向Ｄにおいて針管２の軸線Ｓを含む平面である中心面Ｄｏの両側に位置して設けられている。そして、前記中心面Ｄｏを境にしてその両側に前記一対の切欠面５，５を隔てる円弧状のランド５ａが針管２の外周面２ｅの一部として設けられている。
【００１３】
前記切欠面５，５は、前記中心面Ｄｏに直交する面に対して傾斜角度βで中心面Ｄｏから離れるにしたがって針管２の軸線Ｓ側に近づくように傾斜され、かつ針管２の先端から基端側へ行くにしたがって徐々に針管２の外周面に対する切欠き深さが浅くなるように傾斜されている。前記傾斜角度βは、前記第二の傾斜面３ｃ，３ｃの傾斜角度δと略等しく、前記針管２の内外径に応じて、角度範囲１８°〜２１°の中から選択された適切な数値に設定されている。また、前記ランド５ａの幅ｅは、前記針先４の先端部で例えば略０．０２ｍｍとされ、針管２の基端部側へ行くにしたがって徐々に広がるように設けられている。前記針先４の先端部において前記切刃３ｄ，３ｄが交差してなす刃先角αは、前記針管２の内外径に応じて、角度範囲ば５０°〜７５°の中から選択された適切な数値に設定されている。
【００１４】
このようにして、前記注射針１における針先４の先端部には、前記刃面３の第二の傾斜面３ｃ，３ｃと、その裏面側に設けられた前記切欠面５，５とによって、針先４の先端から基端側に向けて徐々に横断面形状が大きくなる菱形状の刃先４ａが形成され、その前記中心面Ｄｏから離れた縁部に尖鋭化された切刃３ｄ、３ｄが形成され、かつその刃先角αが平面視で鋭角に形成されるので、注射時には、針先４の先端部を皮膚に差し込む際に、前記刃先４ａの切刃３ｄ、３ｄによって皮膚が削がれる態様で刃面の幅方向および表裏方向に均等に切り開かれて、刃先４ａが抵抗なく皮下に挿入される。これにより、皮膚に対する注射針の刺し込み痛を効果的に除去することができ、注射時の刺入痛を軽減することができる。
【００１５】
前記注射針１の皮膚に対する刺し込み痛の除去効果は、前記刃先４ａの形状において、前記各傾斜角度α，β，δがそれぞれ所定の角度範囲に設定されることによって得られるものであり、前記第二の傾斜面３ｃ，３ｃの傾斜角度δと前記切欠面５，５の傾斜角度βがそれらの下限の数値より小さい場合には、前記針先４の刃先４ａが薄くなって弱くなり、また、前記傾斜角度δ，βが上限の数値より大きい場合には、前記刃先４ａの切刃３ｄ，３ｄの鋭さが弱まって切刃３ｄによる皮膚を削ぐ効果が低下するので、刺入痛を生じさせるおそれがある。前記傾斜角度δ，βより重要度は若干低いが、前記刃先４ａの刃先角αがその上限値より大きい場合は、刃先４ａを皮膚に刺し込みにくく、刺し込み痛の除去効果が低下し、また、下限値より小さい場合には、針先４の先端側が細くなり過ぎて強度が弱くなる。
【００１６】
以上説明したように、前記実施の形態に係る注射針１は、針管２の先端２ｂにおける一直径方向Ｄの一側部Ｄ１から針管２の基端側２ｃにおける前記一直径方向Ｄの他側部Ｄ２に向けて前記針管２の軸線Ｓに対して傾斜させて刃面３を形成した針先４を備え、前記刃面３が、前記針先４における基端側の第一の傾斜面３ａと、前記一直径方向Ｄにおいて針管２の軸線Ｓを含む平面である中心面Ｄｏの両側に位置して前記第一の傾斜面３ａから針先４の先端２ｂに接続され、前記針管２の軸線Ｓに対する傾斜角度θ２が第一の傾斜面３ａの傾斜角度θ１より大きくされた一対の第二の傾斜面３ｃ，３ｃとを有し、該各第二の傾斜面３ｃ，３ｃは、前記針管２の外周面２ｅ側が内周面２ｄ側よりも前記一直径方向Ｄの一側部Ｄ１に寄った位置となるように前記中心面Ｄｏに対して傾斜されており、前記針先４の先端側における各第二の傾斜面３ｃ，３ｃの裏側には、該各第二の傾斜面３ｃ，３ｃの先端側の外周縁に、横断面視で前記各第二の傾斜面３ｃ，３ｃに対して鋭角に交差し、平面視で針先４の先端２ｂで鋭角に交差する一対の直線状の切刃３ｄ，３ｄを形成する一対の切欠面５，５が、前記中心面Ｄｏの両側に位置して設けられた構成とされている。
【００１７】
したがって、前記実施の形態に係る注射針１によれば、針先４の先端部に、刃面３における一対の第二の傾斜面３ｃ，３ｃの裏面側に設けた一対の切欠面５，５によって、各第二の傾斜面３ｃ，３ｃの外周縁に横断面視で尖鋭化された切刃３ｄ，３ｄを有する横断面が上下左右対称な菱形状の刃先４ａが形状されるので、注射針１を皮膚に刺入する際には、前記切刃３ｄ，３ｄの先端によって皮膚を削ぎ、削がれた皮膚を刃面３の幅方向および表裏方向に均等に切り開いて針先４を皮下へ挿入することができ、これにより、針先４を刺し込み抵抗を小さくして皮膚へ容易に刺入することができると共に、皮膚に対する刺し込み痛を除去して、刺入時における痛みを確実に軽減することができる。
【００１８】
また、前記刃面３の裏側には、前記中心面Ｄｏに沿って前記一対の切欠面５，５を隔てる円弧状のランド５ａが針管２の外周面２ｅの一部として設けられているので、針先４の先端部の強度をランド５ａによって向上させることができると共に、針先４の研削加工時に、一対の切欠面５，５どうしの交差部を針先４の中心面Ｄｏで正確に一致させる必要がなく、切欠面５，５の加工が容易となる。
なお、前記においては、前記刃面３の第二の傾斜面３ｃ，３ｃの背面側に、針管２（針先４）の先端２ｂから基端側にわたって一対の切欠面５，５の相互間にランド５ａを設けたが、これに限らず、図７、図８に示すように、一対の切欠面３ｃ，３ｃの中心面Ｄｏ側の縁どうしを接近させて、針先４の先端側で針管２の軸線Ｓ方向における所定長さにわたって、前記縁どうしを前記中心面Ｄｏに一致させて刃先４ａの先端側におけるランド５ａを省略することができる。この場合には、針先４の先端部に横断面が菱形の刃先４ａ’が形成される。
【図面の簡単な説明】
【００１９】
【図１】本発明の第一の実施の形態に係る注射針を示す側面図である。
【図２】同じく平面図である。
【図３】同じく正面図である。
【図４】同じく背面図である。
【図５】同じく斜視図である。
【図６】同じく針先の先端側の横断面図である。
【図７】ランドを省略した針先の先端側の横断面図である。
【図８】同じく背面図である。
【符号の説明】
【００２０】
１，１Ａ  注射針
２  針管
２ａ  先端側
２ｂ  先端
２ｃ  基端側
２ｄ  内周面
２ｅ  外周面
３  刃面
３ａ，３ｃ  傾斜面
３ｄ  切刃
４  針先
４ａ  刃先
Ｄ  半径方向
Ｄｏ  中心面
Ｄ１  一側部
Ｄ２  他側部
Ｓ  軸線
α，β，θ１，θ２  傾斜角度
【図１】
2008154843.tif 000003
【図２】
2008154843.tif 000004
【図３】
2008154843.tif 000005
【図４】
2008154843.tif 000006
【図５】
2008154843.tif 000007
【図６】
2008154843.tif 000008
【図７】
2008154843.tif 000009
【図８】
2008154843.tif 000010